(57)【特許請求の範囲】
【請求項１】
キャビティの前面を形成しているフロントプレートと、これに対応されるように一定間隔離して後方に配置されてキャビティの後面を形成しているバックプレートと、前記フロントプレート及びバックプレート間に配置され、ベースプレートを含むキャビティアセンブリを備え、フロントプレートとバックプレートの間に、飲食物が調理されるキャビティと電子部品が取り付けられる電装室とを区画する区画壁が備えられ、キャビティ上側面に二つのシロッコファンを連結するベントモータが取り付けられる電子レンジにおいて；
前記区画壁のバックプレート寄り上側に前記区画壁から突き出るように区画壁に取り付けられ、その上にマグネトロンが取り付けられるウェーブガイドと、
前記電装室内の前記キャビティ上側面の高さに水平に取り付けられる、少なくとも使用時に発熱する電子部品をその上面に取り付ける電装品装着プレートと
を備えていることを特徴とする電子レンジの電装室構造。
【請求項２】
前記電装品装着プレートはその前面と後面がフロントプレートとバックプレートに各々結合されるように設置され、少なくとも高圧トレンスと高圧キャパシタがその上に取り付けられることを特徴とする請求項１に記載の電子レンジの電装室構造。
【請求項３】
前記ウェーブガイドの下にはそのウェーブガイドを支持する支持部材がフロントプレートとバックプレートとの間に取り付けられることを特徴とする請求項１に記載の電子レンジの電装室構造。
【請求項４】
前記支持部材の一端は前記フロントプレートに固定され、他端は前記バックプレートに固定されることを特徴とする請求項３に記載の電子レンジの電装室構造。
【請求項５】
ウェーブガイドの先端にエッジ面を形成し、そのエッジ面に締結孔を形成する一方、前記支持部材の前記エッジ面の締結孔に対応する位置に前記ウェーブガイドの装着を堅固にするためにボルト締結のための孔が形成されることを特徴とする請求項４に記載の電子レンジの電装室構造。
【請求項６】
キャビティの前面を形成しているフロントプレートと、これに対応するように一定間隔離隔されて後方に配置されキャビティの後面を形成しているバックプレートと、前記フロントプレート及びバックプレートとの間に配置されるベースプレートを含むキャビティアセンブリを備え、前記フロントプレートとバックプレートとの間に、飲食物が調理されるキャビティと電子部品が装着される電装室とを区画する区画壁が備えられる電子レンジにおいて；
前記区画壁のバックプレート寄り上側の位置に区画壁に対して垂直に結合され、その上側面にマグネトロンが装着されるウェーブガイドと、
前記フロントプレート及びバックプレートに各々取り付けられた前方支持レール及び後方支持レールと、
前記電子レンジ側面から前記前方支持レール及び後方支持レールに沿って挿入され、電子部品が装着される電装品装着プレートと
を含み、前記前方支持レールと後方支持レールとは電装品装着プレートが取り付けられたときにそれが電装室内のキャビティ上側面の高さに位置するようにそれぞれフロントプレートとバックプレートとに取り付けられていることを特徴とする電子レンジの電装室構造。
【請求項７】
前記電装品の装着プレートの一隅部には切り欠き領域が形成され、その切り欠き領域の周辺には電装品装着プレートが支持レールに沿って挿入された状態でウェーブガイドのエッジ面を支える支持部が形成されることを特徴とする請求項６に記載の電子レンジの電装室構造。
【請求項８】
前記電装品装着プレートの支持部には前記ウェーブガイドのエッジ面に形成された締結孔に対応する締結孔が備えられ、電装品装着プレートとウェーブガイドが相互締結できるようにすることを特徴とする請求項７に記載の電子レンジの電装室構造。
【請求項９】
前記支持レールはキャビティの前面を形成するフロントプレートとキャビティの背面を形成するバックプレートに各々取り付けられることを特徴とする請求項６に記載の電子レンジの電装室構造。
【請求項１０】
前記装着プレートがキャビティ上部に取り付けられるベントモーターの高さに取り付けられることを特徴とする請求項６に記載の電子レンジの電装室構造。
【発明の詳細な説明】
【０００１】
【発明の属する技術分野】
本発明は、電子レンジに関するもので、特に、マイクロウェーブを発生させるための電気的な部品である電子部品が配置される電装室の構造改善に関する。
【０００２】
【従来の技術】
一般に、電子レンジはマグネトロンを用いてマイクロウェーブを生成させてそれを調理対象物に浸透させて、調理対象物すなわち飲食物の内部で分子運動を起こさせることによって調理対象物を加熱する調理機器である。最近調理機器としての機能をもつだけでなく、ガスレンジ又はガスオーブンレンジで発生する熱やガス及び飲食物の臭いを除去するファンの役割を兼ねる電子レンジが登場している。
【０００３】
かかる電子レンジは一般にガスオーブンレンジの上方に取り付けられている。そのためこの電子レンジはＯＴＲ(Over the Range)タイプの電子レンジと言われている。
【０００４】
図１及び図２を参照して従来のＯＴＲタイプの電子レンジに対して概略説明する。
一般に台所のシンク台６００の中央にガスオーブンレンジ２００が取り付けられ、シンク台６００上部空間の適宜の位置に戸棚４００が取り付けられる。また、戸棚４００中央の適宜位置に設けられる設置空間に電子レンジ１００が取り付けられる。
【０００５】
この従来のＯＴＲタイプの電子レンジ１００はドアとコントロールパネルからなるドアパーツと、そのドアパーツの上側に配置されるベントグリル１６０と、ドアパーツ後方に位置するキャビティアセンブリ１００ａ（図２）と、キャビティアセンブリ１００ａの上に取り付けられるエアダクト５０６と、キャビティアセンブリ１００ａ及びエアダクト５０６をカバーする外側ケース（図示せず）と、その外側ケースの下側に結合された底板１５０とからなる。
【０００６】
ベントグリル１６０はその右側の部分、後述の電装品が取り付けられている部分は空気吸入部となり、それ以外の部分は排気用である。また、底板１５０にはガスオーブンレンジ２００からあがってくる煙に含まれている油分を除去するグリースフィルタ１５０ａが取り付けられている。本明細書における左右、上下など方向を現す用語は図面上の方向であって単なる説明上の便宜のためのものにすぎない。
【０００７】
キャビティアセンブリ１００ａは、キャビティ１０００の前面にあるフロントプレート１１０と、これに対応するように一定間隔離隔されて後方に位置してキャビティ１０００の後面ともなるバックプレート１２０と、フロントプレート１１０とバックプレート１２０との間にあってそれらを下側で連結しているベースプレート１３０とからなる。
【０００８】
キャビティアセンブリ１００ａ及びエアダクト５０６をカバーする外側ケースの下側には底板１５０が配置されているが、ベースプレート１３０と底板１５０との間には空間が設けられており、ガスオーブンレンジ２００からの煙などがその空間を通ってベースプレート１３０に設けた吸込孔１３１へと流れるようになっている。
【０００９】
また、フロントプレート１１０とバックプレート１２０の間は、飲食物が調理されるキャビティ１０００と、電子部品などが取り付けられる電装室３００とが区画壁Ｔによって区画されている。この区画壁Ｔには換気孔１５１が形成されている。
【００１０】
この従来のレンジ１００は、図２に示されるように、ベースプレート１３０の吸込孔１３１と区画壁Ｔとの間にエアガイド５１２が取り付けられている。したがって、電装室３００はこのエアガイド５１２によって汚れた空気が通る排気通路と実際に電装品を取り付ける装着部分とに分けられている。
【００１１】
すなわち、吸込孔１３１の左側に取り付けられたエアガイド５１２によってその左側の空間はマグネトロンなどの電装部品が実際に取り付けられる空間である装着部となる一方、エアガイドの右側は汚れた空気をシロッコファン５１７へ導く排気通路として働いている。
【００１２】
エアガイド５１２によって区切られた電装室３００のキャビティ側、すなわち左側のベースプレート１３０にはマイクロウェーブを生成するためのマグネトロン５００及び高圧キャパシタ５０３が装着され、電装室３００内のバックプレート１２０には高圧トランス５０２が取り付けられる。
【００１３】
さらに、電装室３００のエアガイド５１２の左側の空間には、ベントクリル１６０の右側部分の空気吸入部分を通して流れ込んみ、エアダクト５０６を介して流れ込んだ冷たい空気をマグネトロン５００などの電装部品側に吸い込ませるための冷却ファン５２０と吸入ガイド５１０とファンモーターアセンブリが取り付けられている。
【００１４】
すなわち、冷却ファン５２０と吸入ガイド５１０とからなるファンモータアセンブリの取り付け位置は電装部品のマグネトロン５００や高圧トランス５０２などに比して電装室の装着部の右側に位置し、さらにその右側にエアガイド５１２が配置されている。
高圧トランス５０２はベースプレート１３０に取り付けられてもよい。
【００１５】
キャビティ１０００の上側面１４０にはバックプレート１２０側にベントモーター５１６が装着されており、そのベントモーター５１６にはシロッコファン５１７がモータの両側に装着される。
【００１６】
また、ベースプレート１３０の右端近くに電子レンジ１００の下にあるガスオーブンレンジ２００から発生して底板１５０のグリスフィルタ１５１を通過した熱や煙などを吸い込むための吸込孔１３１が形成されている。エアガイド５１２によってその熱や煙が電装室の装着部、すなわち実際の電装品収納箇所には入らないのは前述したとおりである。
【００１７】
なお、キャビティの左側の壁面１０００ａと外側ケースの間に空間を形成して、図示の１３１のような吸込孔を形成させずにオーブンレンジ２００が発生した熱や煙をシロッコファンへ吸い込ませるようにすることもできる。
【００１８】
このように、構成された従来のＯＴＲタイプの電子レンジの換気に対して図１及び図２に基づいて簡単に察する。
基本的に、ＯＴＲタイプの電子レンジの換気作用は三つの方式があるが、以下室内排気の場合について説明する。
【００１９】
ＯＴＲタイプの電子レンジによる排気は、シロッコファンの取付時に、排気口の位置を何処に向けるかによって変わるが、電子レンジの上部に連結されるフード（図示せず）を介して室外に熱や煙などを直接排出でき、電子レンジの後方の壁に形成された換気口に直接連結して電子レンジの後方の壁に熱や煙を排出することもできる。
【００２０】
なお、前記したフードや換気口のない場合には、後述のように室内にフィルタリングされた空気を排出することもでき、この場合には、ベントグリル１６０の左側を介して排出された熱が電装室内に吸い込まれることがあるが、調理器の作動時に電装品で発生する熱に比べて非常に低いので電装品に何らの影響も与えない。
【００２１】
以下、オーブンで発生した熱や煙を含んだ空気をフィルターリングして室内に排気する場合について説明する。
従来のＯＴＲタイプの電子レンジ１００（以下、単に電子レンジと称する）は下方に取り付けるガスオーブンレンジ２００から発生する熱や煙などを排出させるためにキャビティ１０００の上側面１４０に取り付けられているベントモーター５１６を作動させる。すると、ガスオーブンレンジ２００で発生した熱や煙がベースプレート１３０の下部に位置する底板１５０に形成されたグリスフィルタ１５０ａを経て底板１５０とベースプレート１３０との間の空間を通って流れ、電子レンジのベースプレート１３０の両側に形成されたガス吸入孔１３１に吸い込まれる。
【００２２】
その吸い込まれた空気はエアガイド５１２によって分離された電装室の空気流通部を通ってシロッコファン５１７に至る。
次に、シロッコファン５１７に達した熱や煙は、シロッコファン５１７に軸方向に吸入され、シロッコファン５１７の軸方向に直角方向に排出されて浄化フィルター（図示せず）を経てエアダクト５０６からベントグリル１６０を介して排出される。
【００２３】
次に、電子レンジを用いた調理時の動作について説明する。
電子レンジ自身も調理のための動作時、キャビティ１０００内部で煙や高温の熱が発生する。さらに、マグネトロン５００、高圧トランス５０２、高圧キャパシタ５０３などの電子部品でも高温の熱が発生する。したがって、正常に作動させるために放熱を行う必要がある。
【００２４】
そのために、電装室３００に取り付けられている冷却ファン５２０を動作させる。冷却ファン５２０が動作するとベントグリル１６０の一方側を通して流れ込んでくる空気がエアダクト５０６を通って電装室３００に流れ込む。電装室３００に流れ込んだ空気は冷却ファン５２０の前面から吸入されて後面に流れて区画壁Ｔに形成された換気孔１５１を介して調理室のキャビティ１０００の方に抜け出す。
【００２５】
なお、前記のように流れてキャビティ１０００内部に流れ込んでくる空気はキャビティ１０００上側面に形成された排気孔１４１を介して出てベントグリル１６０を介して電子レンジの外部に排出される。
【００２６】
このような空気の流動過程から電装室３００内部の電子部品から発生する熱が放熱されると共に、調理室から発生する煙や飲食物の臭いなどがフィルタリングされる。
しかしながら、このような従来の電子レンジは構造的に次のような問題があった。
【００２７】
先ず、従来の電子レンジ１００は高圧トランス５０２及び高圧キャパシタ５０３などの電子部品が電装室３００下側に取り付けられるので、シロッコファンとは別に高圧トランス５０２及び高圧キャパシタ５０３など高熱を発生させる部品を冷却させるための別の冷却ファン５２０を備えなければならない。
【００２８】
また、このように電装室３００の冷却のための別の冷却ファン５２０が備えられることによって、ガスオーブンレンジ２００から発生する熱や煙を吐き出すために電装室内をエアガイド５１２によって排気通路と装着部とに分離しなければならない。
また、電装室３００に流れ込んだ空気がキャビティ１０００の側面からキャビティ内に流れ込むように換気孔１５１を形成しなければならない。
これによって、部品数及び作業工程が増加され、電装室３００の構造が複雑となるなど多くの問題があった。
なお、これと共に、電装室３００に取り付けられている電装品の冷却のための外部空気の流れ込みのためにベントグリル１６０後方に取り付けられるエアダクト５０６の構造もやはり複雑となるという問題があった。
【００２９】
【発明が解決しようとする課題】
本発明は、上記従来技術の問題点を解決するためのもので、本発明の目的は電装室の構造を改善して従来電装室に設置された冷却ファン及びエアガイドを不要とし、かつエアダクトとキャビティの構造を単純化できるようにすることで部品数と組立時の作業工程及び製造コストを低減し、引いては生産性を向上させるようにした電子レンジの電装室構造を提供することが目的である。
【００３０】
【課題を解決するための手段】
上記目的を達成するための本発明はキャビティの前面を成すフロントプレートと、これに対応されるように一定間隔離隔されて後方に位置してキャビティの後面を成すバックプレートと、前記フロントプレート及びバックプレート間に配置されるベースプレートを含むキャビティアセンブリを備え、前記フロントプレートに対応するバックプレートの間に、飲食物が調理されるキャビティと電子部品が取り付けられる電装室とを区画する区画壁とが備えられ、キャビティ上側面に二つのシロッコファンを連結するベントモータが取り付けられる電子レンジにおいて；前記区画壁の後方一側に前記区画壁と垂直に結合され、その上側面にマグネトロンが取り付けられるウェーブガイドと、前記電装室内の前記キャビティ上側面と一致する高さに水平に取り付けられる電装品装着プレートを備えていることを特徴とする。
【００３１】
この時、電装品装着プレートはその前面と後面がフロントプレートとバックプレートに各々結合されるように設置され、高圧トランスと、高圧キャパシタなどの電子部品がその上に装着される。
なお、ウェーブガイド下部にはウェーブガイドを支持する支持部材がフロントプレートとバックプレートとの間に取り付けられる。
このとき、前記支持部材の一端は前記フロントプレートに固定され、他端は前記バックプレートに固定される。
また、支持部材のウェーブガイドの上側面に形成された締結孔と対応する箇所には、ウェーブガイドの装着を堅固にするためのボルト締結用孔が形成される。
【００３２】
なお、前記目的を達成するための本発明の他の実施態様によると、本発明はキャビティの前面を形成しているフロントプレートと、これに対応されるように一定間隔離隔されて後方に位置してキャビティの後面を形成しているバックプレートと、フロントプレート及びバックプレート間に配置されるベースプレートを含むキャビティアセンブリが備えられ、フロントプレートとバックプレートとの間に、飲食物が調理されるキャビティと電子部品が取り付けられる電装室とそれらを区画する区画壁とが備えられる電子レンジであって、区画壁の後方一方側に区画壁と垂直に結合され、その上側面にマグネトロンが取り付けられるウェーブガイドと、電装室内のキャビティ上側面と一致する高さに取り付けられる電装品装着プレートが位置するように前記フロントプレート及びバックプレートに各々結合される前方支持レール及び後方支持レールと、電子レンジの側面から前方支持レール及び後方支持レールに沿って挿入され、その上面に電子部品が装着される電装品装着プレートとからなる。
【００３３】
この時、装着プレートの一方側の角部には切り欠き領域Ｃが備えられ、切り欠き領域Ｃの周辺には電装品装着プレートが前方支持レール及び後方支持レールに沿って挿入完了された状態でウェーブガイドのエッジ面を支えるようにダウンセットされた支持部が形成される。
【００３４】
また、装着プレートのダウンセットされた支持部にはウェーブガイドのエッジ面に形成された締結孔に対応した締結孔が備えられる。
また、前方支持レールと後方支持レールはキャビティの前面を形成するフロントプレートとキャビティの背面を形成するバックプレートとに各々設置される。
また、装着プレートはキャビティ上部に装着されるベントモーターと類似したコスト低減と生産性の向上が図れる。
【００３５】
前記のような構成によると部品数を減らし、電装室構造が単純になって材料費低減と生産性の向上を図ることができる。
【００３６】
【発明の実施の形態】
以下、添付の図面を参照して本発明を更に詳細に説明する。
【００３７】
先ず、本発明の第１実施形態に対して図３及び図８を参照して説明する。
図３は本発明の第１実施形態による電装室の構造を示す分解斜視図であって、本実施形態はフロントプレート１１と、これと相対して一定間隔離して後方に配置されたバックプレート１２とを備えている。フロントプレート１１とバックプレート１２の間にはそれらを連結するようにベースプレートが配置されている。また、フロントプレート１１とバックプレート１２の間に、飲食物が調理されるように区画されたキャビティ１が設けられている。そのキャビティを電子部品が装着される電装室３から区画する区画壁Ｔがフロントプレート１１とバックプレート１２との間に設けられている。電装室内には区画壁Ｔの上側のバックプレート１２寄りに壁Ｔから直角に突出したウェーブガイド９が設けられている。本実施形態ではウェーブガイド９の上にマグネトロン８が装着される。さらに電装室３内には、フロントプレート１１とバックプレート１２との間にキャビティ上面と同じ高さの位置に電装品装着プレート４が取り付けられている。
【００３８】
電装品装着プレート４は一つの角部に切り欠きを形成させた長方形の板状のもので、その一方の短辺がフロントプレート１１に結合され、その他方の短辺がバックプレート１２に結合されるように取り付けられる。このプレート４に高圧トランス６と高圧キャパシタ５などの電子部品が装着される。
ウェーブガイド９の下側にウェーブガイド９を支持する支持部材１０がフロントプレート１１とバックプレート１２の間に設置される。
支持部材１０の一端はフロントプレート１１に他端はバックプレート１２に固定される。
【００３９】
ウェーブガイド９の区画壁Ｔから突出している先端部分であるエッジ面９ａには締結孔９ｂが形成されており、ウェーブガイド９の下にエッジ面９ａに沿うように配置される支持部材１０の締結孔９ｂに対応する位置にボルト締結のための孔１０ｂが形成されている。ウェーブガイド９と支持部材１０とは締結孔９ｂと孔１０ｂとを通したボルトで締め付けられ、ウェーブガイド９が支持部材１０に強固に結合される。
【００４０】
また、キャビティ上側面１ｂのバックプレート１２側に二つのシロッコファンを連結するベントモーター９１が取り付けられている。一方のシロッコファンはベントモーター９１の駆動によって電装室３の熱を放出し、他方のシロッコファンは下側の調理機から上がってくる煙や熱気を吐き出す。
【００４１】
このような構成からなる本発明の電装室の組立工程を考察する。
先ず、電装室の区画壁Ｔのバックプレート側にウェーブガイド９を垂直に溶接で取り付ける。ウェーブガイド９のエッジ面９ａに形成された締結孔９ｂと支持部材１０に形成された孔１０ｂが一致するように支持部材１０をウェーブガイド９のエッジ面９ａの下部に位置させ、支持部材１０の両端をそれぞれフロントプレート１１とバックプレート１２に溶接して支持部材１０を固定する。
【００４２】
その後、ウェーブガイド９のエッジ面９ａに形成された締結孔９ｂと支持部材１０の孔１０ｂを通してボルトを取り付け、ウェーブガイド９を強固に取り付ける。
このようにして固定したウェーブガイド９の上にマグネトロン８を装着する。
【００４３】
最後に、高圧トランス６と高圧キャパシタ５などの電子部品が装着された電装品装着プレート４を電子レンジの上から電装室３に入れ、キャビティの上側面１ｂと一致する高さに保持して、ボルトでプレート４をフロントプレート１１とバックプレート１２に固定して電装室３の組立工程が終了する。
【００４４】
このような本発明の第１実施形態によると高圧キャパシタ５と高圧トランス６がキャビティ１ｂの上側面より高い位置に取り付けられるので、ベントモーター９１の電装室側に連結されたシロッコファンによってベントグリル９３の右側のグリル部９３ｃを通して流れ込んだ空気が、図８に示した通り、ベントモーター９１の右側のシロッコファンへの流れ込むときに、高圧キャパシタ５や高圧トランス６を通ることになるので、高圧キャパシタ及び高圧トランスの熱がその空気流によって冷却される。従って、従来とは異なり、電装室３に別の冷却ファン及び吸入ガイドを設置する必要が無くなるので電装室の構造が単純となる。
【００４５】
電子レンジが下側に取り付けられるガスオーブンレンジ２００に対する換気装置の役割を果たす場合、本発明の第１実施形態によると、電装品装着プレート４がガスオーブンレンジ２００から上がってくる熱気が高圧トランス６及び高圧キャパシタ５などの電子部品に影響を及ばすことないように遮断する遮断壁の役割を兼ねる。
また、本発明の第１実施形態によると、部品数の減少によって材料費が低減され、組立工程が減少されて組み立て時間が短縮され、組立による不良率が低くなる効果を奏する。
【００４６】
以下、本発明の第２実施形態に対して図４ないし図８を参照して説明する。
図示のように、キャビティ３０と電装室４０がフロントプレート５０とバックプレート６０の間に設けた区画壁Ｔによって区画される。この区画壁Ｔはキャビティ３０の壁を兼ねても良い。
キャビティ上側面３１にはバックプレート６０に隣接した位置にベントモーター９１が取り付けられ、その左右両側にシロッコファンが結合されている。
フロントプレート５０とバックプレート６０にはそれぞれキャビティ上側面３１の高さより若干下側に互いに平行に配置した支持レール５５、６５が取り付けられる。
【００４７】
これを図６を参照してより詳細に説明する。フロントプレート５０の電装室４０の部分は、コントロールパネル（図示せず）がその内側に取り付けられる連通部５３が形成される。
フロントプレート５０の場合、その連通部５３の上にはキャビティ上側面３１と接近した高さに断面‘Ｌ’形状の前方支持レール５５が取り付けられる。
【００４８】
前方支持レール５５の形状を断面Ｌ字状にしたのは、フロントプレート５０には連通部５３を形成しなければならないので、前方支持レール５５の装着箇所が狭くなったためであり、これはあくまでも一つの実施形態に過ぎない。
【００４９】
キャビティ区画壁Ｔのベントモーター９１やシロッコファンの近くにウェーブガイド８０がキャビティ区画壁Ｔから突出するように取り付けられる。先の例と同様にウェーブガイド８０の他端にはウェーブガイド８０の本体から突出したエッジ面８１が備えられる。
このエッジ面８１には先の例と同様に締結孔８２が形成されている。後述するように、電装品装着プレート７０の支持部７２に締結孔７３が形成されており、プレート７０を取り付けたときに双方の締結孔７３、８２が一致するようにしてボルトによってウェーブガイド８０をプレート７０に固定する。
ウェーブガイド８０の上にはマグネトロン９０が装着される。
【００５０】
図６に示すように、フロントプレート５０には、外側ケースに結合されるとき支持部として機能し、前面フレンジ５７がフロントプレート５０の縁に沿って形成されている。この前面フランジ５７には、ケースに締結できるようにする複数の締結孔が備えられているとともに、プレート５０の側面のフランジ５７には前方支持レール５５の高さに孔部５８が形成される。
バックプレート６０は図７に示すように、フロントプレート５０に装着された前方支持レール５５と同一の高さに矩形断面形状の後方支持レール６５が装着される。また、バックプレート６０の周辺にはフロントプレートと同様に内側に折り曲げられた形状の後面フレンジ６７が形成されており、そのフランジ６７の後方支持レール６５の高さの位置に後面フレンジ６７を切り欠いた孔部６８が形成されている。
【００５１】
支持レール５５、６５の形状は前述したように一つの例にすぎず、電装品装着プレート７０を電装室４０の所定の位置に滑り込ませて装着できる形状であればその形状は任意である。
例えば、電装品装着プレート７０に支持レールを形成し、フロントプレート５０とバックプレート６０にそのレールを挿入して移動させる溝を形成することも本発明の適用例のうちの一つである。
【００５２】
すなわち、本実施形態の場合、高圧キャパシタ７５と高圧トランス７６などの電子部品が装着された電装品装着プレート７０が支持レール５５、６５によって電装室側面から挿入される。その位置は、ベントモーター９１とほぼ同じ高さとすることが望ましい。滑り込ませてから必要に応じて別途固定する。
【００５３】
本実施形態の電装品装着プレート７０は、マグネトロン９０が位置する箇所、すなわちベントモーターの右側に結合されたシロッコファンの近くの部分に図５に示すように切り欠き領域Ｃを備えちる。この切り欠き領域Ｃの周辺にはウェーブガイド９のエッジ面９ａを支えるように押し下げられた支持部７２が形成される。
ウェーブガイド９のエッジ面９ａを支えるように押し下げられた支持部７２にはエッジ面８１に形成された締結孔８２に対応する締結孔７３が形成される。
【００５４】
前記のように構成された本発明の第２実施形態による電子レンジの電装室内の組立工程を以下に説明する。
まず、ベントモーターと隣接した電装室の区画壁Ｔにウェーブガイド８０を取り付ける。高圧キャパシタ７５と高圧トランス７６などの電子部品が装着された電装品装着プレート７０をフロントプレート５０とバックプレート６０に各々設置された前方支持レール５５と後方支持レール６５に電装室４０の側面から挿入してベントモーターとほぼ同じ高さに固定させる。
電装品装着プレート７０が挿入されると、ウェーブガイドのエッジ面８１の下方に支持部７２が挿入され、支持部７２がエッジ面８１を支持する。エッジ面８１と電装品装着プレート７０に各々形成された締結孔７３、８２を一致させてボルト締結をすることでウェーブガイド８０の装着を堅固にする。
【００５５】
本発明の第２実施形態によると、第１実施形態と同様に高圧キャパシタ７５及び高圧トランス７６がキャビティ３１の上側面以上の高さに設置されることになり、上側面に設けられたベントモーターの右側に連結されたシロッコファンの作動によって、ベントグリル９３の右側のグリル部９３ｃを介して流れ込んだ空気が、シロッコファンへ流れ込むときに、図８に示すように、空気は高圧キャパシタ７５及び高圧トランス７６を通って高圧キャパシタ及び高圧トランスを冷却する。従って、電装室に別途の冷却ファン及び吸入ガイドを設置する必要が無くなり、電装室の構造が従来に比べて単純になる。
【００５６】
即ち、図８に示すように、電子レンジの前面上側に取り付けられたベントグリル９３を介して電装室４０の上部に流れ込んだ空気はベントモーター９１の作動によって高圧キャパシタ７５及び高圧トランス７６などの電子部品を冷却させながら、ベントモーター組立体の右側の吸気孔へ流れ込んで、シロッコファンによって外部に吐き出される。
【００５７】
電子レンジがその下側に取り付けられるガスオーブンレンジに対する換気装置としての役割を果たす時、本発明の第２実施形態によると電装品装着プレート７０が、ガスオーブンレンジから上がってくる熱や煙が高圧トランス７６及び高圧キャパシタ７５などの電子部品に影響を及ぼすことがないように遮る遮断壁の役割を兼ねる。
【００５８】
また、この第２実施形態に寄れば、高圧キャパシタ７５や高圧トランス７６などの電子部品が設置された比較的重い電装品を取り付けた装着プレート７０をフロントプレート５０とバックプレート６０とに各々形成された支持レール５５、６５を用いて電装室４０の側面から押し込んで装着できるのでその取付作業が容易である。
【００５９】
また、電装品装着プレート７０の滑り込ませる締結構造と部品の減少によって全体としてより簡単な構造を有することになり、これによって組立時間が短縮される。また、組立工程が従来より減少されることによって組立による不良率が低くなる。
【００６０】
なお、第１及び第２実施形態において、ガスオーブンから発生する熱や煙などは従来と同様にキャビティの左側の側面１ａ、３０ａと外側ケース（図示せず）の間に空間が形成されているので、図８に点線で示したように、そこを通ってシロッコファンに吸入され、ベントグリル９３の中央の四角のホール９３ａを通して排出される。この四角のホール９３ａに浄化用のフィルタ（図示せず）を設けておく。
【００６１】
また、前記ベントグリル９３の左側のグリル部９３ｂを介しては冷気が吸い込まれ、下側の配置されたガスレンジからあがってくる熱気を冷却する。
なお、本発明の第１及び第２実施形態において、電子レンジによる調理時にキャビティ１，３０の内部で発生した熱は、前記点線の近くに実線で示したように、キャビティの上側面の左側に形成された排出孔９２を介してベントモータ９１の左側のシロッコファンに吸入されてベントグリルの中央の四角のホール９３ａを介して排出される。この場合にも、ベントグリル９３の左側のグリル部９３ｂを介して冷気が吸い込まれ、電子レンジのキャビティからあがってくる熱気を冷却する。
【００６２】
なお、第１及び第２実施形態において電子レンジの調理作用時キャビティ内部から発生した熱はキャビティ上側面３１に形成される排出孔９２を介して吐き出されてベントモーター９１の左側シロッコファンに吸入された後、排出されて、浄化フィルター（図示せず）を経てベントグリル９３の左側領域を介して排出される。
【００６３】
本発明は前記第１、第２実施形態に限られず、本発明の基本的な技術思想を外れない限り、当業者においては多数の変形が可能である。
【００６４】
【発明の効果】
以上説明したように本発明は、作業者に負担を掛けない簡単な電装品装着プレートの組立作業が可能になるという効果がある。
【００６５】
また、本発明は、シロッコファンだけで電装品を冷却するとともに、キャビティの熱や煙を排出するようにしているので、従来必要としていたシロッコファン以外のファンを設ける必要がないのでので、全体として部品点数が減少し、材料費が低減される効果がある。
さらに、比較的簡単な構造とすることができるので、従来より組み立て工程が減少されて組み立て時間が短縮され、組立による不良率が低くなる効果がある。
【図面の簡単な説明】
【図１】従来のＯＴＲタイプの電子レンジが備えられた台所を示す斜視図である。
【図２】従来のＯＴＲタイプの電子レンジを示す分解斜視図図である。
【図３】本発明の第１実施形態によるＯＴＲタイプの電子レンジの電装室の構造を示す分解斜視図である。
【図４】本発明の第２実施形態によるＯＴＲタイプの電子レンジの電装室の構造を示す分解斜視図である。
【図５】本発明の第２実施形態によるＯＴＲタイプの電子レンジの装着プレートの形状を示す斜視図である。
【図６】図４の要部詳細斜視図であって、フロントプレートに前方支持レールが取り付けられた状態を説明する斜視図である。
【図７】図４の要部詳細斜視図であって、バックプレートに後方支持レールが取り付けられた状態を説明する斜視図である。
【図８】本発明の第１及び第２実施形態による電子レンジの空気流れを説明するための斜視図である。
【符号の説明】
１、３０    キャビティ
１ｂ、３１  キャビティ上側面
３、４０    電装室
Ｔ          区画壁
４、７０    装着プレート
５、７５    高圧キャパシタ
６、７６    高圧トランス
８、９０    マグネトロン
９、８０    ウェーブガイド
９ａ、８１  エッジ面
９ｂ、８２  締結孔
９ａ、８１  エッジ面
９ｂ、８２  締結孔
１０        支持部材
１０ｂ      孔
１１、５０  フロントプレート
１２、６０  バックプレート
５５        前方支持レール
６５        後方支持レール
９２        排出孔
【図１】
0003737965.tif 000002
【図２】
0003737965.tif 000003
【図３】
0003737965.tif 000004
【図４】
0003737965.tif 000005
【図５】
0003737965.tif 000006
【図６】
0003737965.tif 000007
【図７】
0003737965.tif 000008
【図８】
0003737965.tif 000009